【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
回転体対と、
回転体対の一方を他方に対して移動させるカム部材と、
第１方向及び第１方向とは反対の第２方向に回転可能である駆動手段と、
前記駆動手段が第１方向に回転した場合に前記駆動手段の駆動を前記カム部材に伝達し、前記駆動手段が第２方向に回転した場合に前記駆動手段の駆動を前記カム部材に伝達しない伝達手段と、
前記カム部材の前記駆動手段の第１方向への回転時の回転方向への回転は規制せず、前記カム部材の前記駆動手段の第１方向への回転時の回転方向とは反対方向への回転を規制する規制手段と、を備えたことを特徴とするシート搬送装置。
【請求項２】
前記カム部材は、前記回転体対のニップ圧を調整し、
前記回転体対は、硬度の異なる２つのローラであり、シートを搬送する際、シートのカールを補正する、ことを特徴とする請求項１記載のシート搬送装置。
【請求項３】
前記伝達手段は、前記駆動手段が第１方向に回転した場合に前記駆動手段の駆動を前記カム部材に伝達し、前記駆動手段が第２方向に回転した場合に空転するワンウェイクラッチを備え、
前記規制手段は、前記駆動手段が第１方向に回転した場合に空転し、前記カム部材が前記駆動手段の第１方向への回転時とは反対方向へ回転した際に係合して前記カム部材と固定部材とを係合させるワンウェイクラッチを備えた、ことを特徴とする請求項１又は２記載のシート搬送装置。
【請求項４】
前記規制手段は、前記伝達手段と前記カム部材との間の伝動経路上に設けられている、ことを特徴とする請求項１乃至３のいずれか１項記載のシート搬送装置。
【請求項５】
前記規制手段は、前記カム部材と固定部材との間に設けられたワンウェイクラッチを有する、ことを特徴とする請求項１又は２記載のシート搬送装置。
【請求項６】
前記駆動手段が前記第２方向に回転した場合に回転力が伝達されて駆動される被駆動部を有する、ことを特徴とする請求項１乃至５のいずれか１項記載のシート搬送装置。
【請求項７】
第１回転体対と、
第２回転体対と、
前記第１回転体対の一方を他方に対して移動させる第１カム部材と、
前記第２回転体対の一方を他方に対して移動させる第２カム部材と、
第１方向及び第１方向とは反対の第２方向に回転可能である駆動手段と、
前記駆動手段が第１方向に回転した場合に前記駆動手段の駆動を前記第１カム部材に伝達する第１伝達手段と、
前記駆動手段が第２方向に回転した場合に前記駆動手段の駆動を前記第２カム部材に伝達する第２伝達手段と、
前記第１カム部材の前記駆動手段の第１方向への回転時の回転方向への回転は規制せず、前記第１カム部材の前記駆動手段の第１方向への回転時の回転方向とは反対方向への回転を規制する第１規制手段と、
前記第２カム部材の前記駆動手段の第２方向への回転時の回転方向への回転は規制せず、前記第２カム部材の前記駆動手段の第２方向への回転時の回転方向とは反対方向への回転を規制する第２規制手段と、を備えたことを特徴とするシート搬送装置。
【請求項８】
前記第１カム部材は、前記第１回転体対のニップ圧を調整し、
前記第２カム部材は、前記第２回転体対のニップ圧を調整し、
前記第１回転体対は、硬度の異なる２つのローラを有し、シートを搬送する際、シートの第１カール方向のカールを補正し、
前記第２回転体対は、硬度の異なる２つのローラを有し、シートを搬送する際、シートの前記第１カール方向とは逆の第２カール方向のカールを補正する、ことを特徴とする請求項７記載のシート搬送装置。
【請求項９】
前記第１伝達手段は、前記駆動手段が第１方向に回転した場合に前記駆動手段の駆動を前記第１カム部材に伝達し、前記駆動手段が第２方向に回転した場合に空転するワンウェイクラッチを備え、
前記第２伝達手段は、前記駆動手段が第２方向に回転した場合に前記駆動手段の駆動を前記第２カム部材に伝達し、前記駆動手段が第１方向に回転した場合に空転するワンウェイクラッチを備え、
前記第１規制手段は、前記駆動手段が第１方向に回転した場合に空転し、前記第１カム部材が前記駆動手段の第１方向に回転時とは反対方向へ回転した際に係合して前記第１カム部材と固定部材とを係合させるワンウェイクラッチを備え、
前記第２規制手段は、前記駆動手段が第２方向に回転した場合に空転し、前記第２カム部材が前記駆動手段の第２方向への回転時とは反対方向へ回転した際に係合して前記第２カム部材と固定部材とを係合させるワンウェイクラッチを備えた、ことを特徴とする請求項７又は８記載のシート搬送装置。
【請求項１０】
前記第１規制手段は、前記第１伝達手段と前記第１カム部材との間の伝動経路上に設けられる、ことを特徴とする請求項７乃至９のいずれか１項記載のシート搬送装置。
【請求項１１】
前記第２規制手段は、前記第２伝達手段と前記第２カム部材との間の伝動経路上に設けられる、ことを特徴とする請求項７乃至１０のいずれか１項記載のシート搬送装置。
【請求項１２】
前記第１規制手段は、前記第１カム部材と固定部材との間に設けられたワンウェイクラッチを有する、ことを特徴とする請求項７又は８記載のシート搬送装置。
【請求項１３】
前記第２規制手段は、前記第２カム部材と固定部材との間に設けられたワンウェイクラッチを有する、ことを特徴とする請求項７又は８記載のシート搬送装置。
【請求項１４】
回転体対と、
前記回転体対によって搬送されるシートに画像を形成する画像形成部と、
前記回転体対の一方を他方に対して移動させるカム部材と、
第１方向及び第１方向とは反対の第２方向に回転可能である駆動手段と、
前記駆動手段が第１方向に回転した場合に前記駆動手段の駆動を前記カム部材に伝達し、前記駆動手段が第２方向に回転した場合に前記駆動手段の駆動を前記カム部材に伝達しない伝達手段と、
前記カム部材の前記駆動手段の第１方向への回転時の回転方向への回転は規制せず、前記カム部材の前記駆動手段の第１方向への回転時の回転方向とは反対方向への回転を規制する規制手段と、を備えたことを特徴とする画像形成装置。
【手続補正２】
【補正対象書類名】明細書
【補正対象項目名】００１５
【補正方法】変更
【補正の内容】
【００１５】
本発明に係るシート搬送装置は、回転体対と、回転体対の一方を他方に対して移動させるカム部材と、第１方向及び第１方向とは反対の第２方向に回転可能である駆動手段と、前記駆動手段が第１方向に回転した場合に前記駆動手段の駆動を前記カム部材に伝達し、前記駆動手段が第２方向に回転した場合に前記駆動手段の駆動を前記カム部材に伝達しない伝達手段と、前記カム部材の前記駆動手段の第１方向への回転時の回転方向への回転は規制せず、前記カム部材の前記駆動手段の第１方向への回転時の回転方向とは反対方向への回転を規制する規制手段と、を備えたことを特徴とする。
【手続補正３】
【補正対象書類名】明細書
【補正対象項目名】００１６
【補正方法】変更
【補正の内容】
【００１６】
また、本発明に係るシート搬送装置は、第１回転体対と、第２回転体対と、前記第１回転体対の一方を他方に対して移動させる第１カム部材と、前記第２回転体対の一方を他方に対して移動させる第２カム部材と、第１方向及び第１方向とは反対の第２方向に回転可能である駆動手段と、前記駆動手段が第１方向に回転した場合に前記駆動手段の駆動を前記第１カム部材に伝達する第１伝達手段と、前記駆動手段が第２方向に回転した場合に前記駆動手段の駆動を前記第２カム部材に伝達する第２伝達手段と、前記第１カム部材の前記駆動手段の第１方向への回転時の回転方向への回転は規制せず、前記第１カム部材の前記駆動手段の第１方向への回転時の回転方向とは反対方向への回転を規制する第１規制手段と、前記第２カム部材の前記駆動手段の第２方向への回転時の回転方向への回転は規制せず、前記第２カム部材の前記駆動手段の第２方向への回転時の回転方向とは反対方向への回転を規制する第２規制手段と、を備えたことを特徴とする。
【手続補正４】
【補正対象書類名】明細書
【補正対象項目名】００１７
【補正方法】変更
【補正の内容】
【００１７】
更に、本発明に係る画像形成装置は、回転体対と、前記回転体対によって搬送されるシートに画像を形成する画像形成部と、前記回転体対の一方を他方に対して移動させるカム部材と、第１方向及び第１方向とは反対の第２方向に回転可能である駆動手段と、前記駆動手段が第１方向に回転した場合に前記駆動手段の駆動を前記カム部材に伝達し、前記駆動手段が第２方向に回転した場合に前記駆動手段の駆動を前記カム部材に伝達しない伝達手段と、前記カム部材の前記駆動手段の第１方向への回転時の回転方向への回転は規制せず、前記カム部材の前記駆動手段の第１方向への回転時の回転方向とは反対方向への回転を規制する規制手段と、を備えたことを特徴とする。